(57)【要約】【課題】在宅患者が医師への連絡を遅れると、医師による在宅患者の手当てが遅れるおそれがあった。【解決手段】（１）（１ａ）在宅患者の症状を表す症状データ記憶する記憶部と、（１ｂ）前記記憶されている症状データに基づき、前記在宅患者に症状が急変する予兆が無いかを判断する判断部と、（１ｃ）前記判断部による判断の結果を表す判断データを送信する送信部と、を有する端末装置と、（２）（２ａ）前記判断データを受信する受信部と、（２ｂ）前記受信された判断データに基づき、医師が前記在宅患者の元へ向かうべき旨を指示する処理部と、を有するホスト装置と、を含む。【選択図】図１
2009265788.tif 000002
【特許請求の範囲】
【請求項１】
（１）（１ａ）在宅患者の症状を表す症状データを記憶する記憶部と、
（１ｂ）前記記憶されている症状データに基づき、前記在宅患者に症状が急変する予兆が無いかを判断する判断部と、
（１ｃ）前記判断部による判断の結果を表す判断データを送信する送信部と、を有する端末装置と、
（２）（２ａ）前記判断データを受信する受信部と、
（２ｂ）前記受信された判断データに基づき、医師が前記在宅患者の元へ向かうべき旨を指示する処理部と、を有するホスト装置と、を含むことを特徴とする在宅医療システム。
【請求項２】
前記記憶部は、ＦｅＲＡＭであることを特徴とする請求項１記載の在宅医療システム。
【発明の詳細な説明】
【技術分野】
【０００１】
本発明は、在宅医療システムに関する。
【背景技術】
【０００２】
下記の特許文献１に記載された従来の在宅医療システムでは、在宅患者が、在宅患者の意思に基づき在宅医療を受けることを可能にすべく、在宅患者と医師とがネットワークで通信可能に接続されている。
【０００３】
【特許文献１】特開平１１−１２０２６１号公報
【発明の開示】
【発明が解決しようとする課題】
【０００４】
しかしながら、上記した従来の在宅医療システムでは、在宅患者は、自らの意思により、即ち、自発的に医師に連絡することから、在宅患者が医師に連絡することが遅れてしまうと、医師による在宅患者の手当ても遅れてしまい、結果的に、症状が重篤になってしまうというおそれがあるという問題があった。
【課題を解決するための手段】
【０００５】
本発明は、上記した課題を解決すべく、以下の適用例により実現される。
【０００６】
［適用例１］
（１）（１ａ）在宅患者の症状を表す症状データを記憶する記憶部と、
（１ｂ）前記記憶されている症状データに基づき、前記在宅患者に症状が急変する予兆が無いかを判断する判断部と、
（１ｃ）前記判断部による判断の結果を表す判断データを送信する送信部と、を有する端末装置と、
（２）（２ａ）前記判断データを受信する受信部と、
（２ｂ）前記受信された判断データに基づき、医師が前記在宅患者の元へ向かうべき旨を指示する処理部と、を有するホスト装置と、を含むことを特徴とする在宅医療システム。
【０００７】
適用例１の在宅医療システムによれば、前記端末装置では、前記送信部が、前記ホスト装置へ、前記判断部による、前記記憶部に記憶されている前記症状データに基づく判断データを送信し、他方で、前記ホスト装置では、前記受信部が、前記判断データを受信し、前記処理部が、当該判断データに基づき、前記医師に前記在宅患者の元へ向かうべき旨を指示する。これにより、従来と異なり、前記在宅患者が在宅医療を受けることを前記医師に自発的に連絡するか否かに拘わらず、前記医師が適時に前記在宅患者に手当てを施すことが可能となる。
【０００８】
［適用例２］
前記記憶部は、ＦｅＲＡＭであることを特徴とする適用例１の在宅医療システム。
【発明を実施するための最良の形態】
【０００９】
実施例の在宅医療システムについて図面を参照して説明する。
【００１０】
《構成》
図１は、実施例の在宅医療システムの構成を示す。実施例の在宅医療システムＳは、図１に示されるように、端末装置ＴＥと、ホスト装置ＨＳと、ネットワークＮＷとを含む。
【００１１】
〈端末装置〉
端末装置ＴＥは、在宅患者Ｐが居住する家庭Ｆに設けられており、記憶部ＳＴ１と、処理部ＰＲ１と、通信部ＣＭ１と、を有する。
【００１２】
記憶部ＳＴ１は、例えば、ＦｅＲＡＭからなり、図２に示されるように、測定装置（図示せず。）が測定する前記在宅患者Ｐの症状データＳＤ、即ち、年月日時分秒毎の、例えば、血圧、脈拍、尿蛋白、尿糖等のような在宅患者Ｐの症状の変化を知る上で必要な測定値を示すデータＳＤを記憶している。ＦｅＲＡＭは、記憶容量が少ないものの、書き換え可能回数が実質的に無限に近いことから、上記した症状データＳＤを上書き更新するには好適である。
【００１３】
『判断部』である処理部ＰＲ１は、例えば、ＣＰＵからなり、前記記憶部ＳＴ１に記憶されている症状データＳＤに基づき、在宅患者Ｐの症状が急変する予兆が無いかを判断する。
【００１４】
『送信部』としての機能を担う通信部ＣＭ１は、無線又は有線による送受信機能を有し、前記処理部ＰＲ１による判断の結果を示す判断データＪＤを、ホスト装置ＨＳへ送信する。
【００１５】
〈ホスト装置〉
ホスト装置ＨＳは、在宅患者Ｐの在宅医療を担当する医師Ｄが勤務する病院Ｈに設けられており、通信部ＣＭ２と、処理部ＰＲ２と、を有する。
【００１６】
『受信部』としての機能を担う通信部ＣＭ２は、端末装置ＴＥ内の通信部ＣＭ１と同様に、無線又は有線による送受信機能を有し、端末装置ＴＥの通信部ＣＭ１から判断データＪＤを受信する。
【００１７】
処理部ＰＲ２は、端末装置ＴＥ内の処理部ＰＲ１と同様にＣＰＵからなり、前記通信部ＣＭ２が受信した判断データＪＤが示す内容に基づき、即ち、当該判断データＪＤの内容の如何により、音声、文字等を用いて、医師Ｄに、医師Ｄが直ちに在宅患者Ｐの元に向かうべきである旨を指示する。
【００１８】
〈ネットワーク〉
ネットワークＮＷは、例えば、無線ネットワーク、ケーブル（有線）ネットワークである。
【００１９】
《動作》
実施例の在宅医療システムの動作について説明する。
【００２０】
ステップＳ１：測定装置（図示せず。）は、年月日時分秒毎に、在宅患者Ｐの症状データＳＤを採取し、当該症状データＳＤを端末装置ＴＥの記憶部ＳＴ１に逐次書き込みを続ける。
【００２１】
ステップＳ２：処理部ＰＲ１は、定期的に（例えば、１０秒毎に、１分毎に）、前記記憶部ＳＴ１に記憶されている症状データＳＤ、即ち、症状データＳＤの履歴に基づき、在宅患者Ｐの症状が急変する予兆が無いかを判断し、急変の予兆があるか否かを示す判断データＪＤを作成する。
【００２２】
ステップＳ３：通信部ＣＭ１は、前記処理部ＰＲ１により生成された判断データＪＤを、ネットワークＮＷを介して、ホスト装置ＨＳの通信部ＣＭ２へ送信する。
【００２３】
ステップＳ４：ホスト装置ＨＳでは、通信部ＣＭ２は、前記ネットワークＮＷを介して、端末装置ＴＥの通信部ＣＭ１から前記判断データＪＤを受信する。
【００２４】
ステップＳ５：処理部ＰＲ２は、前記通信部ＣＭ２が受信した判断データＪＤが「在宅患者Ｐに症状急変の予兆がある。」旨を示すとき、音声、文字等により、医師Ｄに、医師Ｄが直ちに在宅患者Ｐの元に向かうべきである旨を指示する。
【００２５】
《効果》
上述したように、実施例の在宅医療システムＳでは、前記端末装置ＴＥでは、前記通信部ＣＭ１が、前記ホスト装置ＨＳへ、前記処理部ＰＲ１による、前記記憶部ＳＴ１に記憶されている前記症状データＳＤに基づく判断データＪＤを送信し、他方で、前記ホスト装置ＨＳでは、前記通信部ＣＭ２が、前記判断データＪＤを受信し、前記処理部ＰＲ２が、当該判断データＪＤに基づき、前記医師Ｄに前記在宅患者Ｐの元へ向かうべき旨を指示する。これにより、従来と異なり、前記在宅患者Ｐが在宅医療を受けることを前記医師Ｄに自発的に連絡するか否かに拘わらず、前記医師Ｄが適時に前記在宅患者Ｐに手当てを施すことが可能となる。
【図面の簡単な説明】
【００２６】
【図１】実施例の在宅医療システムの構成を示す。
【図２】実施例の記憶部に記憶されている症状データを示す図。
【符号の説明】
【００２７】
Ｓ…在宅医療システム、Ｐ…在宅患者、Ｄ…医師、Ｆ…家庭、Ｈ…病院、ＴＥ…端末装置、ＣＭ１…通信部、ＰＲ１…処理部、ＳＴ１…記憶部、ＨＳ…ホスト装置、ＣＭ２…通信部、ＰＲ２…処理部。
【図１】
2009265788.tif 000003
【図２】
2009265788.tif 000004